(57)【要約】【課題】ＯＡ機器から延出される通信ケーブルが外部へ露出した状態で配線されるのを極力防止し、配線の露出が原因するＯＡ機器の破損や故障の原因を回避すること。また、通信ケーブルが外部へ目立つように配線されるのを極力防止し、外観性をより向上し得ること。【解決手段】操作デスク本体１２の操作テーブル１３の操作テーブル面１３ａにＯＡ機器１４を設置し、このＯＡ機器１４から導出する通信ケーブル２５ａ〜２５ｄを前記操作テーブル面１３ａに設けた挿通孔を通して外部へ配線することができるようにした操作機器用デスク１１において、前記操作デスク本体１２の操作テーブル１３の後端部に、この操作デスク本体１２の背面側から見てＯＡ機器１４の一部または全部を覆い隠すように取り付けられる円弧状のテーブル化粧板１６と、操作テーブル１３後方の操作テーブル面１３ａのほぼ中央部に設けた通信ケーブル用の挿通孔とを備える。【選択図】  図１
2004313405.tif 000002
【特許請求の範囲】
【請求項１】
操作デスク本体の操作テーブル上にＯＡ機器を設置し、このＯＡ機器から導出する通信ケーブルを前記操作テーブルに設けた挿通孔を通して外部へ配線することができるようにした操作機器用デスクにおいて、
前記操作デスク本体の操作テーブルの後端部に、この操作デスク本体の背面側から見てＯＡ機器の一部または全部を覆い隠すように取り付けられる中高形状のテーブル化粧板と、
操作テーブルの後方中央領域に部に設けた通信ケーブル用の挿通孔とを備えたことを特徴とする操作機器用デスク。
【請求項２】
前記操作テーブルは、この操作テーブルの後縁中央部の一部に凹設した段差部を備え、この段差部にＯＡ機器から導出する通信ケーブルの挿通孔を設けたことを特徴とする請求項１記載の操作機器用デスク。
【請求項３】
前記操作テーブルの段差部は、前記テーブル化粧板が納まる程度に凹設された段差部であることを特徴とする請求項２記載の操作機器用デスク。
【請求項４】
前記操作テーブルは、操作テーブルの後端部に取り付けたテーブル化粧板が、操作テーブルの段差部へ折り畳み自在に収納できるように、前記操作テーブルの後端部に前記テーブル化粧板を回動自在に軸支する支持部を設けたことを特徴とする請求項３記載の操作機器用デスク。
【請求項５】
操作デスク本体の操作テーブル上にＯＡ機器を設置し、このＯＡ機器から導出する通信ケーブルを前記操作テーブルに設けた挿通孔を通して外部へ配線することができるようにした操作機器用デスクにおいて、
前記操作デスク本体の操作テーブルの後端部に、この操作テーブルの後方縁部近傍に、このテーブル後方縁部に沿って形成される長溝と、
この長溝に着脱自在に取り付けられ、前記ＯＡ機器の一部または全部を覆い隠すように設けられるテーブル化粧板と、
前記操作テーブル後方に設けた通信ケーブル用の挿通孔とを備えたことを特徴とする操作機器用デスク。
【請求項６】
前記テーブル化粧板は、表面および裏面のそれぞれに化粧面を有することを特徴とする請求項１または５記載の操作機器用デスク。
【発明の詳細な説明】
【０００１】
【発明の属する技術分野】
本発明は、パソコン等の操作機器用デスクに係り、特にオフィス等のネットワーク化された環境で用いられる操作機器用デスクに関する。
【０００２】
【従来の技術】
従来、この種の操作機器用デスクにあっては、パソコン等の操作機器をデスク上に設置する一方、情報ネットワークである、例えばパソコンＬＡＮ（ｌｏｃａｌ  ａｒｅａ  ｎｅｔｗｏｒｋ）（図示せず）へ通信ケーブルにて接続するように構成したものが一般的である。
【０００３】
例えば、（特許文献１）によれば、図５および図６に示すように、操作機器用デスク１の操作デーブル２上に、パソコン装置等のＯＡ機器３をセットした構成のものが開示されている。
【０００４】
この操作機器用デスク１の操作テーブル２は、方形状を有し、例えば矢視Ａ方向（この方向を前方とする）から操作者（図示せず）が操作できるようにしている。
【０００５】
操作テーブル２の表面の後方端部にこの操作テーブル２を貫通した通信ケーブル導出孔４を形成した配線用グロメット５が設置されている。
【０００６】
また、操作テーブル２の後方端稜線部には、方形状の背面板６が取り付けられ、操作テーブル２にセットされるＯＡ機器３の一部を後方から隠すように取り付けられる。
【０００７】
操作機器用デスク１の操作テーブル２上に設置されるＯＡ機器３には、パソコン本体７およびこのパソコン本体７に付属するキーボード８等の付属機器がある。
【０００８】
パソコン本体７から、通信ケーブル９が導出され、この通信ケーブル９は配線用グロメット５を介して、操作テーブル２下部へ延出させ、パソコンＬＡＮ（図示せず）へ接続する構成になっている。
【０００９】
操作機器用デスク１は、パソコン本体７から導出される通信ケーブル９が、操作機器用デスク１の操作テーブル２上において、目だって露出することはなく、また、背面板６により後方を隠しているので、後方から目視されても目立つことはなく、通信ケーブル９が整然と配線されるようになっている。
【００１０】
【特許文献１】
特開平８−３１７８２０号公報［第３頁左欄第２１〜２４行および同頁右欄第３１〜３４行並びに図１および図５（パソコン本体７から導出する通信ケーブルが、背面板６に近接して操作テーブル２に設けられたグロメット５を介してテーブル２の下方へ延出した構成）］
【００１１】
【発明が解決しようとする課題】
従来の操作機器用デスク１によれば、操作テーブル２上にＯＡ機器３がセットされた構成である。
【００１２】
また、このようにＯＡ機器３がセットされた操作機器用デスク１は、通常複数用意され、例えばＯＡ機器ルームのような場所において、まとめて設置される一方、それぞれのＯＡ機器３…から導出される通信ケーブル９…が束線され、例えばパソコンＬＡＮへ整然と配線を行なうことができる。
【００１３】
しかしながら、このようなＯＡ機器３から導出される通信ケーブル９は、ＯＡ機器３の外側から操作テーブル２上へはみ出した状態で配線されることから、この通信ケーブル９へ外部から物が当たったり、引っ掛けて破損したり故障の原因となる惧れがあった。
【００１４】
また、外観上からも必ずしも望ましくなかった。
【００１５】
本発明は、このような点を考慮してなされたもので、パソコン本体等のＯＡ機器から延出する通信ケーブルが外部へ露出して配線されるのを極力防止し、配線の露出が原因するＯＡ機器の破損や故障の原因を回避するようにした操作機器用デスクを提供することを主な目的とする。
【００１６】
また、本発明の他の目的は、パソコン本体等のＯＡ機器から延出する通信ケーブルが外部へ目立つように配線されるのを極力防止する一方、外観をより良好にし得る操作機器用デスクを提供するにある。
【００１７】
【課題を解決するための手段】
上記目的を達成するために、請求項１記載の発明によれば、操作デスク本体の操作テーブル上にＯＡ機器を設置し、このＯＡ機器から導出する通信ケーブルを前記操作テーブルに設けた挿通孔を通して外部へ配線することができるようにした操作機器用デスクにおいて、前記操作デスク本体の操作テーブルの後端部に、この操作デスク本体の背面側から見てＯＡ機器の一部または全部を覆い隠すように取り付けられる中高形状のテーブル化粧板と、操作テーブルの後方中央領域に部に設けた通信ケーブル用の挿通孔とを備えたことを特徴とする操作機器用デスクを提供する。
【００１８】
上記目的を達成するために、請求項５記載の発明によれば、操作デスク本体の操作テーブル上にＯＡ機器を設置し、このＯＡ機器から導出する通信ケーブルを前記操作テーブルに設けた挿通孔を通して外部へ配線することができるようにした操作機器用デスクにおいて、前記操作デスク本体の操作テーブルの後端部に、この操作テーブルの後方縁部近傍に、このテーブル後方縁部に沿って形成される長溝と、この長溝に着脱自在に取り付けられ、前記ＯＡ機器の一部または全部を覆い隠すように設けられるテーブル化粧板と、前記操作テーブル後方に設けた通信ケーブル用の挿通孔とを備えたことを特徴とする操作機器用デスクを提供する。
【００１９】
【発明の実施の形態】
本発明の操作機器用デスクの実施形態について、添付図面を参照して説明する。
【００２０】
（第１の実施形態）
図１〜図３は、本発明に係る操作機器用デスク１１の第１の実施形態を示す概要図である。
【００２１】
操作機器用デスク１１は、例えばＯＡ機器ルーム等のオフィスにおいて、複数設置される操作デスク本体１２と、この操作デスク本体１２の操作テーブル１３上にセットされるＯＡ機器１４とより構成される。
【００２２】
操作デスク本体１２は、操作テーブル１３を支持するようにコの字状に組立てられた脚体１５と、この脚体１５の上端に設置される操作テーブル１３と、この操作テーブル１３の後方位置に取り付けられるテーブル化粧板１６とから構成される。
【００２３】
脚体１５は、左側板１７，右側板１８および後板１９とからなり、上方に設置される操作テーブル１３を３方向から安定に支持している。
【００２４】
脚体１５の左側板１７は、所定の板厚を有するものが用いられ、この所定の板厚を利用して、例えばＡ４サイズの資料類が収納できる程度のポケット部２０が形成されている。
【００２５】
このポケット部２０は、図３に鎖線で示すように、例えばＯＡ機器操作マニュアル等の紙資料Ｄが操作デスク本体１２前方から出入れ自在に収納されるようになっている。
【００２６】
このポケット部２０は、左側板１７の厚肉部にスリット部２０ａが上下の縦方向に形成される一方、左側板１７の平端面中央部が切り抜かれ、この部分に２本一組のガイドレール２０ｂ…が複数段掛け渡して設けられる。
【００２７】
この２本一組のガイドレール２０ｂ…は、図１に示すように、２本のガイドレール２０ｂを相互に所定の間隔を取って対向配置されるものであって、この２本一組のガイドレール２０ｂ…と他の２本一組のガイドレール２０ｂ…とをポケット部２０の上下位置に所定の間隔を取って配置される。
【００２８】
右側板１８には、外側面部に脚部化粧板１８ａが露出して貼り付けられている。
【００２９】
この脚部化粧板１８ａは、例えば右側板１８の成形時に直接表面加工し、一体的に設けられるものであってもよい。
【００３０】
操作テーブル１３は、ＯＡ機器１４が載置される操作テーブル面１３ａと、後方において、操作テーブル１３の後縁中央部の一部を凹設して円弧状段差部１３ｂを設けている。
【００３１】
この円弧状段差部１３ｂは、この円弧状段差部１３ｂに近接して取り付けられるテーブル化粧板１６の板厚とほぼ同程度の段差を有している。
【００３２】
また、この円弧状段差部１３ｂの中央部には、図３に示すように操作テーブル１３を上下方向に貫通する挿通孔１３ｃが形成され、この挿通孔１３ｃにケーブルガイド孔を有する配線用グロメット１３ｄ，１３ｄが設けられる。
【００３３】
操作テーブル１３の後方位置に取り付けられるテーブル化粧版１６は、配線用グロメット１３ｄ，１３ｄ部を操作デスク本体１２の背部から覆い隠すことができるように、中高形状、例えば中央部の高さを高くした円弧状の周縁部１６ａを有し、この両側面部に任意の、例えば模様を表示した化粧面１６ｂを設けている。
【００３４】
また、このテーブル化粧版１６は、操作デスク本体１２の後板１９の外側に操作テーブル１３の円弧状段差部１３ｂを後方から覆い隠す程度の高さにして取り付けられる。
【００３５】
また、このテーブル化粧版１６は、操作テーブル１３の後方位置において、この操作テーブル１３の段差部１３ｂへ折り畳み自在に収納できるように、操作テーブル１３の後端部にテーブル化粧版１６を回動自在に支持する支持部、例えば蝶番２１が設けられる。
【００３６】
操作デスク本体１２の操作テーブル１３上に設置されるＯＡ機器１４は、図１〜図３に示すように、パソコン本体２２およびこのパソコン本体２２に付属するディスプレイ装置２３，キーボード２４，データサーバ２５等の付属機器が設置される。
【００３７】
このディスプレイ装置２３からは、通信ケーブル２６ａが導出され、この通信ケーブル２６ａは、一方の配線用グロメット１３ａを介して操作テーブル１３下部へ延出させた構成になっている。
【００３８】
なお、符号２７は、キーボード２４に通信ケーブル２６ｅを介して接続されたマウスである。
【００３９】
また、キーボード２４，データサーバ２５からは、通信ケーブル２６ｂ〜２６ｄが導出され、他方の配線用グロメット１３ｂ〜１３ｄを介して操作テーブル１３下部へ延出させた構成になっている。
【００４０】
操作テーブル１３の背側の円弧状段差部１３ｂに設けられる配線用グロメット１３ｄ，１３ｄは、図１〜図３に示すように、円弧状段差部１３ｂに設けられる。
【００４１】
次に、第１の実施形態に係る操作機器用デスク１１にＯＡ機器１４をセットする手順について説明する。
【００４２】
ＯＡ機器１４をセットするに先だって、操作機器用デスク１１を所要の組立て手順にて予め組立てる。
【００４３】
テーブル化粧板１６の化粧面１６ｂ上にＯＡ機器１４を構成する各パソコン本体２２，ディスプレイ装置２３，キーボード２４およびデータサーバ２５等の単位機器を所定の位置に設置する。
【００４４】
各単位機器から導出する通信ケーブル（図示せず）を相互間に接続する。
【００４５】
一方、パソコンＬＡＮ側へ接続する通信ケーブル、すなわち通信ケーブル２６ａ〜２６ｄを操作テーブル１３に、例えば２個設けられる配線用グロメット１３ｄ，１３ｄのケーブルガイド孔へ挿通し、操作テーブル１３下方からパソコンＬＡＮ側へ接続するように延出する。
【００４６】
このようにしてＯＡ機器１４を操作デスク本体１２側へセットさせ、パソコンＬＡＮ側へ接続させることができる。
【００４７】
従って、操作機器用デスク１１によれば、ＯＡ機器１４から導出される通信ケーブル２６ａ〜２６ｄは、配線用グロメット１３ｄ，１３ｄのケーブルガイド孔を介して、操作デスク本体１２の背側から内部に導かれ、操作テーブル１３の操作テーブル面１３ａ上において通信ケーブル２６ａ〜２６ｄが露出する部分を少なくした状態で配線をすることができる。
【００４８】
第１の実施形態に係る操作機器用デスク１１によれば、上述した構成の他に、操作デスク本体１２の後板１９に取り付けたテーブル化粧板１６は、操作テーブル１３の円弧状段差部１３ｂの後方縁部に図示しない蝶番で回動自在に支持させ、必要に応じて垂直に立ち上げ、テーブル化粧板１６としての使用することができるようにしてもよい。
【００４９】
また、テーブル化粧板１６は、蝶番２１により回動自在に支持されるために、操作テーブル１３に凹設された円弧状段差部１３ｂに重ねる形で収納できるようにしたから、特に汚れの目立ち安い円弧状段差部１３ｂ内への埃の付着の防止効果をも発揮させることができる。
【００５０】
また、通信ケーブル２６ａ〜２６ｄの配線部分は、テーブル化粧板１６により後方から覆い隠された状態となるので、後方から目視されても目立つようなことがなくなる一方で、テーブル化粧板１６による化粧効果により、より一層外観の向上に寄与することができる。
【００５１】
更に、テーブル化粧板１６を蝶番方式で支持させるようにすれば、操作デスク本体１２の、例えばオフィスへの設置前の段階での移動や搬送時にあたって操作機器用デスクを嵩張らないようにすることができる。
【００５２】
更にまた、操作テーブル１３の円弧状段差部１３ｂは、必ずしも必要としない。
【００５３】
ただし、この場合には、操作テーブル１３の中央部側部分に設けられる配線用グロメット１３ｄは、外観性を配慮して例えば１つだけ設けるようにし、複数の通信ケーブル２５ａ〜２５ｄを一つに束線してガイドさせることもできる。
【００５４】
（第２の実施形態）
次に、本発明に係る操作機器用デスクの第２の実施形態を、図４を参照して説明する。
【００５５】
第１の実施形態に示された操作機器用デスク１１と同一部分には同一符号を附して説明を省略する。
【００５６】
操作機器用デスク３０は、コの字状に構成された脚体１５と、この脚体１５の上方に設置した操作テーブル１３とより構成した操作デスク本体１２と、この操作デスク本体１２の操作テーブル１３の後端部において、後方からＯＡ機器１４の一部または全部が覆い隠されるように設けられる方形状テーブル化粧板３１とより構成される。
【００５７】
操作テーブル１３の後端部には、この操作テーブル１３の後方縁部近傍に、この縁部に沿って形成される長溝３２が形成される。
【００５８】
この長溝３２には、テーブル化粧板３１が裏返し自在に、また着脱自在に装着できるようになっている。
【００５９】
テーブル化粧板３１は、表裏面共に、例えば異なる模様等のテーブル化粧面３１ｂ（一方のみを図示）が形成されている。
【００６０】
その他の構成については、第１の実施形態における構成と同様であるので説明を省略する。
【００６１】
また、第２の実施形態に係る操作機器用デスク３０にＯＡ機器１４をセットする手順については、第１の実施形態における手順と同様であるので説明を省略する。
【００６２】
第２の実施形態における操作機器用デスク３０によれば、パソコン本体２１から導出される通信ケーブル２６ａ〜２６ｄは、操作テーブル１３の操作テーブル面１３ａ上において露出する部分を少なくした状態で配線をすることができる。
【００６３】
また、通信ケーブル２６ａ〜２６ｄの配線部分は、テーブル化粧板３１により後方から多い隠された状態となるので、後方から目視されても目立つようなことがなくなる一方で、テーブル化粧板３１による化粧効果により、より一層外観の向上に寄与することができる。
【００６４】
更には、テーブル化粧板３１は、板面部の表裏両面に異なる模様等の化粧面３１ｂを設けるようにしたから、ＯＡ機器１４の取扱者やこのＯＡ機器１４の周辺を移動したり目視し得る状況にある関係者をして、ＯＡ機器１４回りの安全性向上や外観向上面で寄与し得ることができる。
【００６５】
また、操作テーブル１３の背面側に配線用グロメット１３ｄを左右対称に設けた例を示したが、外観を配慮して例えば１つだけ設けるようにし、複数の通信ケーブル２６ａ〜２６ｄを一つに束線してガイドさせることもできる。
【００６６】
【発明の効果】
本発明に係る操作機器用デスクは、操作テーブル上に露出する配線部分を極力減少させることができるので、結果的にこの操作テーブル上に露出する配線部分に対して外部から物が当たったり、引っ掛けたりすることを未然に且つ確実に防止して、ＯＡ機器を損傷させたり、故障をさせることを防止することができる。
【００６７】
また、同時に操作テーブルの配線部分を外部に対して覆い隠すことと相俟って、操作デスク本体全体として外観をもより良好にし得る操作機器用デスクを得ることができる。
【図面の簡単な説明】
【図１】本発明の第１の実施形態における操作機器用デスクの概要を示す斜視図。
【図２】本発明の第１の実施形態における操作機器用デスクの概要を示す平面図。
【図３】図１のＩＩＩ−ＩＩＩ線に沿う断面図。
【図４】本発明の第２の実施形態における操作機器用デスクの概要を示す斜視図。
【図５】従来の操作機器用デスクの概要を示す斜視図。
【図６】図５の背面側から背面板を取除いて見た操作テーブルの配線用グロメット部分を示す図。
【符号の説明】
１１，３０  操作機器用デスク
１２  操作デスク本体
１３  操作テーブル
１３ａ  操作テーブル面
１３ｂ  円弧状段差部
１３ｃ  挿通孔
１３ｄ  配線用グロメット
１４  ＯＡ機器
１５  脚体
１６，３１  テーブル化粧板
１６ａ  周縁部
１６ｂ，３１ｂ  化粧面
１７  左側板
１８  右側板
１８ａ  脚部化粧板
１９  後板
２０  ポケット部
２０ａ  スリット部
２０ｂ  ガイドレール
２１  蝶番
２２  パソコン本体
２３  ディスプレイ装置
２４  キーボード
２５  データサーバ
２６ａ〜２６ｅ  通信ケーブル
２７  マウス
３２  長溝
【図１】
2004313405.tif 000003
【図２】
2004313405.tif 000004
【図３】
2004313405.tif 000005
【図４】
2004313405.tif 000006
【図５】
2004313405.tif 000007
【図６】
2004313405.tif 000008